(57)【要約】  【課題】野菜室の野菜の鮮度を長期間保つ事ができる冷蔵庫を提供することを目的とする。  【解決手段】上方より冷蔵室２、切替室３と製氷室４、野菜室６、冷凍室５とした冷蔵庫において、野菜室６を切替室用帰還風路３３の冷気で冷却板３４を介して間接的に冷却することで、使い勝手の向上を図ることができるとともに、野菜室６に直接冷気の出入りが無くなり、野菜室６を高湿度に保てることで野菜からの水分の蒸散を抑え、野菜の鮮度を長期間保つ事ができる。【選択図】図２
2008039245.tif 000002
【特許請求の範囲】
【請求項１】
冷蔵庫本体と、前記冷蔵庫本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、前記製氷室及び前記第１の冷凍室と前記第２の冷凍室との間に設けられた野菜類を貯蔵する野菜室と、前記冷蔵室と前記製氷室及び前記第１の冷凍室とを仕切る仕切り壁１と、前記第１の冷凍室と前記製氷室とを縦方向に仕切る仕切り壁２と、前記第１の冷凍室及び前記製氷室と前記野菜室とを仕切る仕切り壁３と、前記野菜室と前記第２の冷凍室とを仕切る仕切り壁４と、前記第２の冷凍室奥面から前記仕切り壁４を貫通し前記野菜室の奥面にわたって配置した冷却器と、前記野菜室の天面に配置された冷却板と、前記第１の冷凍室から前記仕切り壁３を貫通し更に前記仕切り壁３と前記冷却板の間を経由して前記冷却器へと連通する第１の冷凍室用帰還風路とを備え、前記冷却板で前記野菜室を冷却するようにしたことを特徴とする冷蔵庫。
【請求項２】
冷蔵庫本体と、前記冷蔵庫本体の上部に冷蔵食品等を貯蔵する冷蔵室と、前記冷蔵室の下部に設けられた特定低温室と、前記冷蔵室の下部で前記特定低温室に並列配置された製氷及び氷の貯蔵を行う製氷室と、前記冷蔵庫本体下部に設けられた冷凍室と、前記製氷室及び前記特定低温室と前記冷凍室との間に設けられた野菜類を貯蔵する野菜室と、前記冷蔵室と前記製氷室及び前記特定低温室とを仕切る仕切り壁１と、前記特定低温室と前記製氷室とを縦方向に仕切る仕切り壁２と、前記特定低温室及び前記製氷室と前記野菜室とを仕切る仕切り壁３と、前記野菜室と前記冷凍室とを仕切る仕切り壁４と、前記冷凍室奥面から前記仕切り壁４を貫通し前記野菜室の奥面にわたって配置した冷却器と、前記野菜室の天面に配置された冷却板と、前記特定低温室から前記仕切り壁３を貫通し更に前記仕切り壁３と前記冷却板の間を経由して前記冷却器へと連通する特定低温室用帰還風路とを備え、前記冷却板で前記野菜室を冷却するようにしたことを特徴とする冷蔵庫。
【請求項３】
冷蔵庫本体と、前記冷蔵庫本体の上部に冷蔵食品等を貯蔵する冷蔵室と、前記冷蔵室の下部に設けられた冷凍から冷蔵までの温度範囲で切替え可能な切替室と、前記冷蔵室の下部で前記切替室に並列配置された製氷及び氷の貯蔵を行う製氷室と、前記冷蔵庫本体下部に設けられた冷凍室と、前記製氷室及び前記切替室と前記冷凍室との間に設けられた野菜類を貯蔵する野菜室と、前記冷蔵室と前記製氷室及び前記切替室とを仕切る仕切り壁１と、前記切替室と前記製氷室とを縦方向に仕切る仕切り壁２と、前記切替室及び前記製氷室と前記野菜室とを仕切る仕切り壁３と、前記野菜室と前記冷凍室とを仕切る仕切り壁４と、前記冷凍室奥面から前記仕切り壁４を貫通し前記野菜室の奥面にわたって配置した冷却器と、前記野菜室の天面に配置された冷却板と、前記切替室から前記仕切り壁３を貫通し更に前記仕切り壁３と前記冷却板の間を経由して前記冷却器へと連通する切替室用帰還風路とを備え、前記冷却板で前記野菜室を冷却するようにしたことを特徴とする冷蔵庫。
【請求項４】
前記製氷室の扉を回転式機構としたことを特徴とした請求項１から３のいずれか一項に記載の冷蔵庫。
【請求項５】
前記野菜室の扉を回転式機構としたことを特徴とした請求項１から３のいずれか一項に記載の冷蔵庫。
【発明の詳細な説明】
【技術分野】
【０００１】
本発明は、冷蔵庫に関するものである。
【背景技術】
【０００２】
近年、様々なレイアウトの冷蔵庫が発売されている（例えば、特許文献１参照）。
【０００３】
図５は、特許文献１に記載された従来の冷蔵庫を示すものである。図５に示すように冷蔵庫本体１と、冷蔵庫本体１の上部に設けられた冷蔵室２と、冷蔵室２の下部に設けられた切替室３と、冷蔵室２の下部で切替室３に並列に設けられた製氷室４と、冷蔵庫本体１の下部に設けられた冷凍室５と、切替室３及び製氷室４と冷凍室５との間に設けられた野菜室６と、冷気を生成する冷却器７と、冷気を各室に供給するファン装置８とを有し、冷凍室５に冷気を供給するための冷凍室用送風路９と、製氷室４に冷気を供給するための製氷用送風路１０と、製氷室４から冷気を冷却器７に戻す製氷室用帰還風路１１と、製氷室用送風路１０を通る冷気の一部を分流させて切替室３に送る切替室用送風路１２と、切替室３からの冷気を冷却器７に戻すための切替室用帰還風路１３と、切替室用送風路１２を通る冷気の一部を分流させて冷蔵室２に送る冷蔵室用送風路１４と、冷蔵室２に送られた冷気を野菜室６に戻すための冷蔵室用帰還風路１５と、野菜室６に送られた冷気を冷却器７に戻すための野菜室用帰還風路１６から構成される。
【特許文献１】特許第３２１２９５４号公報
【発明の開示】
【発明が解決しようとする課題】
【０００４】
しかしながら上記従来の構成では、野菜室に直接冷気が出入りする風路になっており野菜室を高湿度に保つ事が出来ない。野菜から蒸散された水分が野菜室に残存せずに、冷却器に戻る風路を通じて野菜室の湿度が奪われるために、野菜からの水分の蒸散が促進されて貯蔵される野菜の鮮度低下が著しいという課題を有していた。
【０００５】
本発明は、上記従来の課題を解決するもので、野菜室を高湿度に保つことで野菜からの水分の蒸散を抑え、野菜の鮮度を長期間保てる冷蔵庫を提供することを目的とする。
【課題を解決するための手段】
【０００６】
上記従来の課題を解決するために、本発明の冷蔵庫は、冷蔵庫本体の上部に冷蔵食品等を貯蔵する冷蔵室と、冷蔵室の下部に設けられた第１の冷凍室と、冷蔵室の下部で第１の冷凍室に並列配置された製氷及び氷の貯蔵を行う製氷室と、冷蔵庫本体下部に設けられた第２の冷凍室と、製氷室及び第１の冷凍室と第２の冷凍室との間に設けられた野菜類を貯蔵する野菜室と、冷蔵室と製氷室及び第１の冷凍室とを仕切る仕切り壁１と、第１の冷凍室と製氷室とを縦方向に仕切る仕切り壁２と、第１の冷凍室及び製氷室と野菜室とを仕切る仕切り壁３と、野菜室と第２の冷凍室とを仕切る仕切り壁４と、第２の冷凍室奥面から仕切り壁４を貫通し野菜室の奥面にわたって配置した冷却器と、野菜室の天面に配置された冷却板と、第１の冷凍室から仕切り壁３を貫通し更に仕切り壁３と冷却板の間を経由して冷却器へと連通する第１の冷凍室用帰還風路とを備え、冷却板で野菜室を冷却するようにしたものである。
【０００７】
これによって、第１の冷凍室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保てる。
【０００８】
また本発明の冷蔵庫は、冷蔵庫本体の上部に冷蔵食品等を貯蔵する冷蔵室と、冷蔵室の下部に設けられた特定低温室と、冷蔵室の下部で特定低温室に並列配置された製氷及び氷の貯蔵を行う製氷室と、冷蔵庫本体下部に設けられた冷凍室と、製氷室及び特定低温室と冷凍室との間に設けられた野菜類を貯蔵する野菜室と、冷蔵室と製氷室及び特定低温室とを仕切る仕切り壁１と、特定低温室と製氷室とを縦方向に仕切る仕切り壁２と、特定低温室及び製氷室と野菜室とを仕切る仕切り壁３と、野菜室と冷凍室とを仕切る仕切り壁４と、冷凍室奥面から仕切り壁４を貫通し野菜室の奥面にわたって配置した冷却器と、野菜室の天面に配置された冷却板と、特定低温室から仕切り壁３を貫通し更に仕切り壁３と冷却板の間を経由して冷却器へと連通する特定低温室用帰還風路とを備え、冷却板で野菜室を冷却するようにしたものである。
【０００９】
これによって、特定低温室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ特定低温室を設けたことにより、肉、魚を最適保存できる。
【００１０】
また本発明の冷蔵庫は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、冷蔵室と製氷室及び切替室とを仕切る仕切り壁１と、切替室と製氷室とを縦方向に仕切る仕切り壁２と、切替室及び製氷室と野菜室とを仕切る仕切り壁３と、野菜室と冷凍室とを仕切る仕切り壁４と、冷凍室奥面から仕切り壁４を貫通し野菜室の奥面にわたって配置した冷却器と、野菜室の天面に配置された冷却板と、切替室から仕切り壁３を貫通し更に仕切り壁３と冷却板の間を経由して冷却器へと連通する切替室用帰還風路とを備え、冷却板で野菜室を冷却するようにしたものである。
【００１１】
これによって、切替室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ切替室を設けたことにより、お客様の使い勝手を向上させることができる。
【発明の効果】
【００１２】
本発明の冷蔵庫は、第１の冷凍室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保てる。
【００１３】
また本発明の冷蔵庫は、特定低温室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ特定低温室を設けたことにより、肉、魚を最適保存できる。
【００１４】
また本発明の冷蔵庫は、切替室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ切替室を設けたことにより、お客様の使い勝手を向上させることができる。
【発明を実施するための最良の形態】
【００１５】
請求項１に記載の発明は、冷蔵庫本体の上部に冷蔵食品等を貯蔵する冷蔵室と、冷蔵室の下部に設けられた第１の冷凍室と、冷蔵室の下部で第１の冷凍室に並列配置された製氷及び氷の貯蔵を行う製氷室と、冷蔵庫本体下部に設けられた第２の冷凍室と、製氷室及び第１の冷凍室と第２の冷凍室との間に設けられた野菜類を貯蔵する野菜室と、冷蔵室と製氷室及び第１の冷凍室とを仕切る仕切り壁１と、第１の冷凍室と製氷室とを縦方向に仕切る仕切り壁２と、第１の冷凍室及び製氷室と野菜室とを仕切る仕切り壁３と、野菜室と第２の冷凍室とを仕切る仕切り壁４と、第２の冷凍室奥面から仕切り壁４を貫通し野菜室の奥面にわたって配置した冷却器と、野菜室の天面に配置された冷却板と、第１の冷凍室から仕切り壁３を貫通し更に仕切り壁３と冷却板の間を経由して冷却器へと連通する第１の冷凍室用帰還風路とを備え、冷却板で野菜室を冷却するようにしたことにより、第１の冷凍室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保てる。
【００１６】
請求項２に記載の発明は、冷蔵庫本体の上部に冷蔵食品等を貯蔵する冷蔵室と、冷蔵室の下部に設けられた特定低温室と、冷蔵室の下部で特定低温室に並列配置された製氷及び氷の貯蔵を行う製氷室と、冷蔵庫本体下部に設けられた冷凍室と、製氷室及び特定低温室と冷凍室との間に設けられた野菜類を貯蔵する野菜室と、冷蔵室と製氷室及び特定低温室とを仕切る仕切り壁１と、特定低温室と製氷室とを縦方向に仕切る仕切り壁２と、特定低温室及び製氷室と野菜室とを仕切る仕切り壁３と、野菜室と冷凍室とを仕切る仕切り壁４と、冷凍室奥面から仕切り壁４を貫通し野菜室の奥面にわたって配置した冷却器と、野菜室の天面に配置された冷却板と、特定低温室から仕切り壁３を貫通し更に仕切り壁３と冷却板の間を経由して冷却器へと連通する特定低温室用帰還風路とを備え、冷却板で野菜室を冷却するようにしたことにより、特定低温室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ特定低温室を設けたことにより、肉、魚を最適保存できる。
【００１７】
請求項３に記載の発明は、冷蔵庫本体の上部に冷蔵食品等を貯蔵する冷蔵室と、冷蔵室の下部に設けられた冷凍から冷蔵までの温度範囲で切替え可能な切替室と、冷蔵室の下部で切替室に並列配置された製氷及び氷の貯蔵を行う製氷室と、冷蔵庫本体下部に設けられた冷凍室と、製氷室及び切替室と冷凍室との間に設けられた野菜類を貯蔵する野菜室と、冷蔵室と製氷室及び切替室とを仕切る仕切り壁１と、切替室と製氷室とを縦方向に仕切る仕切り壁２と、切替室及び製氷室と野菜室とを仕切る仕切り壁３と、野菜室と冷凍室とを仕切る仕切り壁４と、冷凍室奥面から仕切り壁４を貫通し野菜室の奥面にわたって配置した冷却器と、野菜室の天面に配置された冷却板と、切替室から仕切り壁３を貫通し更に仕切り壁３と冷却板の間を経由して冷却器へと連通する切替室用帰還風路とを備え、冷却板で野菜室を冷却するようにしたことにより、切替室からの戻り冷気によって野菜室を冷却板で間接的に冷却することで野菜室に直接冷気の出入りが無くなり、野菜室を高湿度に保てることで野菜からの水分の蒸散を抑え、野菜の鮮度を長期間保つ事ができ、かつ切替室を設けたことにより、お客様の使い勝手を向上させることができる。
【００１８】
請求項４に記載の発明は、請求項１から３のいずれか一項に記載の発明において、製氷室の扉を回転式機構としたものであり、製氷室の氷が取り出しやすくすることができ、さらにお客様の使い勝手を向上させることができる。
【００１９】
請求項５に記載の発明は、請求項１から３のいずれか一項に記載の発明において、野菜室の扉を回転式機構としたものであり、野菜室の野菜が取り出しやすくすることができ、さらにお客様の使い勝手を向上させることができる。
【００２０】
以下、本発明の実施の形態について、図面を参照しながら説明する。なお、この実施の形態によってこの発明が限定されるものではない。
【００２１】
（実施の形態１）
図１は、本発明の実施の形態１における冷蔵庫の正面図である。図２は、本発明の実施の形態１における冷蔵庫の風路を示す正面図である。図３は、本発明の実施の形態１における冷蔵庫の断面図である。図４は、本発明の実施の形態１における冷蔵庫の回転支持部を示す構成図である。
【００２２】
図１において１は冷蔵庫本体であり、最上部に冷蔵室２と、冷蔵室２の下部に設けられた切替室３と、冷蔵室２の下部に設けられ切替室３に並列配置された製氷及び氷の貯蔵を行う製氷室４と、冷蔵庫本体１の下部に設けられた冷凍室５と、製氷室４及び切替室３と冷凍室５との間に設けられた、野菜類を貯蔵する野菜室６を有する。
【００２３】
図２及び図３において、１７は冷却器であり野菜室６の奥面から野菜室６と冷凍室５を仕切る野菜冷凍仕切り壁１８を貫通し冷凍室５の奥面にわたって配置されている。１９は送風機であり、冷却器１７で生成された冷気を各室へ送風している。２０は冷凍室用吐出風路で冷凍室用吐出口２１から冷凍室５へ冷気を吐出している。２２は切替室用吐出風路であり製氷室４及び切替室３と野菜室６を仕切る製氷切替野菜仕切り壁２３を貫通し、切替室用吐出口２４より切替室３へ冷気を吐出している。２５は製氷室用吐出風路で製氷切替野菜仕切り壁２３を貫通し製氷室用吐出口２６より製氷室４へ冷気を吐出している。２７は冷蔵室用吐出風路で冷蔵室２と製氷室４及び切替室３を仕切る冷蔵製氷切替仕切り壁２８を貫通し、冷蔵室用吐出口２９より冷蔵室２へ冷気を吐出している。２９は冷蔵室製氷室冷凍室用帰還風路で冷蔵室用帰還口３０、製氷室用帰還口３１、さらに冷凍室用帰還口３２が設けられて冷却器１７へ戻り冷気を帰還している。３３は切替室用帰還風路で、製氷切替野菜仕切り壁２３を貫通し野菜室６の上部に設けられた冷却板３４と製氷切替野菜仕切り壁２３との間で形成された野菜室冷却風路３５に連通し、切替室３の戻り冷気を野菜室冷却風路３５へ導いている。３６は野菜室冷却風路用帰還風路であり、野菜室冷却風路３５に設けられた野菜室冷却風路帰還口３７によって野菜室冷却風路３５と連通し冷却１７へ戻り冷気を帰還している。
【００２４】
図４において、３８は回転式機構とした製氷室用扉である。３９は回転支持部上であり、４０は回転支持部下であり、扉の回転を支持する。
【００２５】
上記構成において以下、作用を説明する。冷却器１７によって発生した冷気は切替室用吐出風路２２によって切替室３に供給される。切替室３を冷却した冷気は、仕切り壁２３を貫通し野菜室６の上部に設けられた冷却板３４と製氷切替野菜仕切り壁２３との間で形成された野菜室冷却風路３５に導かれ冷却板３４を冷却する。冷却板３４を冷却した冷気は、野菜室冷却風路３５に設けられた野菜室冷却風路帰還口３６によって野菜室冷却風路用帰還３６を通じて冷却１７へ帰還する。
【００２６】
以上のように本実施の形態においては切替室の戻り冷気により冷却板で野菜室を冷却するようにしたことにより、野菜室を冷却板で間接的に冷却することで野菜室への直接的冷気の出入りが無くなり、野菜室を高湿度に保てることで野菜からの水分の蒸散を抑え、野菜の鮮度を長期間保つ事ができ、かつ切替室を設けたことにより、お客様の使い勝手を向上させることができる。
【産業上の利用可能性】
【００２７】
以上のように、本発明にかかる冷蔵庫は、冷却板で野菜室を冷却するようにしたことにより、野菜室を冷却板で間接的に冷却することで野菜室への直接的冷気の出入りが無くなり、野菜室を高湿度に保てることで野菜からの水分の蒸散を抑え、野菜の鮮度を長期間保つ事ができ、かつ切替室を設けたことにより、お客様の使い勝手を向上させることができるので冷凍機器全般の冷却方法の用途にも適用できる。
【図面の簡単な説明】
【００２８】
【図１】本発明の実施の形態１における冷蔵庫の正面図
【図２】本発明の実施の形態１における冷蔵庫の風路を示す正面図
【図３】本発明の実施の形態１における冷蔵庫の断面図
【図４】本発明の実施の形態１における冷蔵庫の回転支持部を示す構成図
【図５】従来の冷蔵庫の風路を示す正面図
【符号の説明】
【００２９】
１    冷蔵庫本体
２    冷蔵室
３    切替室
４    製氷室
５    冷凍室
６    野菜室
１７  冷却器
１８  野菜冷凍仕切り壁
２３  製氷切替野菜仕切り壁
２８  冷蔵製氷切替仕切り壁
３３  切替室用帰還風路
３４  冷却板
３５  野菜室冷却風路
３６  野菜室冷却風路用帰還風路
３７  野菜室冷却風路帰還口
３８  製氷室用扉
【図１】
2008039245.tif 000003
【図２】
2008039245.tif 000004
【図３】
2008039245.tif 000005
【図４】
2008039245.tif 000006
【図５】
2008039245.tif 000007